(57)【要約】【課題】検査時間を短縮することができ、検査ミスが起こりにくく使い勝手のよい検査用システムを提供する。【解決手段】検査作業に用いる検査用システム１であって、検査対象の製品仕様を記憶している製品仕様記憶部２１と、製品仕様のダミーを記憶しているダミー記憶部２２と、ダミー記憶部２２に記憶されているダミーから検査対象の製品仕様とは異なる１つのダミーを抽出するダミー抽出部２３と、ダミー抽出部２３により抽出された１つのダミーと検査対象の製品仕様とからなる２択の選択肢を表示する表示部３１とを備える。【選択図】図１
2015219824.tif 000002
【特許請求の範囲】
【請求項１】
検査作業に用いる検査用システムであって、
検査対象の製品仕様を記憶している製品仕様記憶部と、
製品仕様のダミーを記憶しているダミー記憶部と、
前記ダミー記憶部に記憶されているダミーから、前記検査対象の製品仕様とは異なる１つのダミーを抽出するダミー抽出部と、
前記ダミー抽出部により抽出された１つのダミーと、前記検査対象の製品仕様とからなる２択の選択肢を表示する表示部とを備えることを特徴とする検査用システム。
【請求項２】
前記製品仕様記憶部は、
前記検査対象の製品仕様を、検査項目別に記憶しており、
前記ダミー記憶部は、
前記ダミーを、検査項目別に記憶しているが、一部又は全部の検査項目の前記ダミーを記憶していない場合があり、
前記ダミー抽出部は、
検査項目別に、前記ダミー記憶部に前記検査対象の製品仕様とは異なるダミーが１つ以上記憶されているか否かを判断し、肯定的な判断結果である場合にのみ、当該検査項目のダミーを抽出し、
前記表示部は、
前記ダミー抽出部によりダミーが抽出された検査項目に関し、当該ダミーと、前記検査対象の製品仕様とからなる２択の選択肢を表示する請求項１に記載の検査用システム。
【請求項３】
前記表示部は、
前記ダミー抽出部によりダミーが抽出されなかった検査項目に関し、空と、前記検査対象の製品仕様とからなる２択の選択肢を表示する請求項２に記載の検査用システム。
【請求項４】
前記製品仕様記憶部は、
前記検査対象の製品仕様を、モデル別、且つ、検査項目別に記憶しており、
前記ダミー記憶部は、
前記ダミーを、モデル別、且つ、検査項目別に記憶しているが、一部のモデルの検査項目が前記ダミーを記憶していない場合があり、
前記ダミー抽出部は、
検査対象と同一モデル、且つ、同一検査項目について、前記ダミー記憶部に前記検査対象の製品仕様とは異なるダミーが１つ以上記憶されている場合には、同一モデル、且つ、同一検査項目を対象に１つのダミーを抽出し、
検査対象と同一モデル、且つ、同一検査項目について、前記ダミー記憶部に前記検査対象の製品仕様とは異なるダミーが記憶されていない場合には、別のモデル、且つ、同一検査項目を対象に１つのダミーを抽出する請求項１〜３のいずれか１項に記載の検査用システム。
【請求項５】
前記ダミー抽出部は、
前記ダミー記憶部に、前記検査対象の製品仕様とは異なる２つ以上のダミーが記録されている場合に、不規則に１つのダミーを抽出する請求項１〜４のいずれか１項に記載の検査用システム。
【請求項６】
前記製品仕様記憶部は、
複数の検査対象の製品仕様を記憶しており、
前記ダミー記憶部は、
前記製品仕様記憶部に記憶された複数の検査対象の製品仕様を、前記ダミーとして蓄積する請求項１〜５のいずれか１項に記載の検査用システム。
【請求項７】
該検査用システムは、さらに、
製品自体が前記検査対象の製品仕様と一致していない理由に関する情報を外部から受付けて記録する理由記録部を備える請求項１〜６のいずれか１項に記載の検査用システム。
【請求項８】
該検査用システムは、さらに、
前記表示部により表示された前記２択の選択肢のうちの１つの選択を外部から受付ける受付部と、
前記検査対象の製品仕様が選択されたか否かの判定を行う判定部と、
前記判定部による判定の結果を提示する出力部とを備え、
少なくとも、前記表示部、前記受付部及び前記出力部がモバイル側に存在し、該モバイル側に存在しないその他の構成がサーバ側に存在する請求項１〜７のいずれか１項に記載の検査用システム。
【請求項９】
検査対象の製品仕様を記憶している製品仕様記憶部と、製品仕様のダミーを記憶しているダミー記憶部とを備える検査用システムを用いて行う検査方法であって、
前記ダミー記憶部に記憶されているダミーから、前記検査対象の製品仕様とは異なる１つのダミーを抽出するダミー抽出ステップと、
前記ダミー抽出ステップにより抽出された１つのダミーと、前記検査対象の製品仕様とからなる２択の選択肢を表示する表示ステップとを含むことを特徴とする検査方法。
【発明の詳細な説明】
【技術分野】
【０００１】
本発明は、製品が注文通りの仕様を満たしているかを作業者がチェックする検査作業に用いる検査用システムに関し、特に、検査時間を短縮し、検査ミスが起こりにくくするための技術に関するものである。
【背景技術】
【０００２】
自動車や電化製品などの製造工場においては、製品が一通り完成すると、製品が注文通りの仕様や機能を満たしているかを作業者がチェックする検査作業が設けられている。例えば１本の製造ラインで全く同じ仕様の製品のみを生産する場合には、作業者は一種類のチェックリストを用いて、全ての製品に対し同じ検査を繰返し行う。
【０００３】
一方、オプション部品やカラー等が異なる複数種類の製品を混在させて生産する場合には、予め個々の製品専用のチェックリストを複数種類作成しておき、この中から作業者が検査対象の製品に対応するチェックリストの１つを準備した上で、個々の製品に対し異なる検査を行わなければならず、検査に時間がかかる上、検査ミスも起こりやすくなる。
【０００４】
特許文献１に、誤欠品検査の信頼度を高めるとともに検査作業を容易化することができる誤欠品検査装置が開示されている。特許文献１には、検査者は誤欠品検査装置の要求に応えて検査してゆけばよく、検査し忘れといったことが防止される旨（段落００３４）、検査者が視覚的特徴を入力してゆくために、仮に検査者が勘違いしていても誤検査することが防止される旨（段落００３４）、及び、入力要求時に視覚的特徴が一覧表示されるために、検査者はその一覧表示のなかから視覚的特徴を入力すればよく、知識が充分でない場合にも正しい検査が行なえる旨（段落００３３、００３４）が記載されている。
【先行技術文献】
【特許文献】
【０００５】
【特許文献１】特開平８−１５５７６６号公報
【発明の概要】
【発明が解決しようとする課題】
【０００６】
同一のチェックリストを用いて同様の検査を繰り返し行うような場合には、時間の経過とともに次第に作業者の注意力が低下し、チェックが雑になり検査ミスが起こりやすくなる傾向がある。
また、特許文献１の誤欠品検査装置では、一覧表示される多数の選択肢の中から１つを選択する作業を、検査項目ごとに行わなければならないので、必然的に１製品あたりの検査時間が長くなる。
【０００７】
本発明は以上のような従来の課題を考慮してなされたものであり、検査ミスが起こりにくく、検査時間を短縮することができる検査用システムを提供することを目的とする。
【課題を解決するための手段】
【０００８】
本発明は以上のような従来の課題を考慮してなされたものであり、本発明に係る検査用システムは、検査作業に用いる検査用システムであって、検査対象の製品仕様を記憶している製品仕様記憶部と、製品仕様のダミーを記憶しているダミー記憶部と前記ダミー記憶部に記憶されているダミーから前記検査対象の製品仕様とは異なる１つのダミーを抽出するダミー抽出部と、前記ダミー抽出部により抽出された１つのダミーと前記検査対象の製品仕様とからなる２択の選択肢を表示する表示部とを備えることを特徴とする。
【０００９】
また検査用システムにおいて、前記製品仕様記憶部は、前記検査対象の製品仕様を検査項目別に記憶しており、前記ダミー記憶部は、前記ダミーを検査項目別に記憶しているが一部又は全部の検査項目の前記ダミーを記憶していない場合があり、前記ダミー抽出部は、検査項目別に前記ダミー記憶部に前記検査対象の製品仕様とは異なるダミーが１つ以上記憶されているか否かを判断し肯定的な判断結果である場合にのみ当該検査項目のダミーを抽出し、前記表示部は、前記ダミー抽出部によりダミーが抽出された検査項目に関し当該ダミーと前記検査対象の製品仕様とからなる２択の選択肢を表示することが好ましい。
【００１０】
また検査用システムにおいて、前記表示部は、前記ダミー抽出部によりダミーが抽出されなかった検査項目に関し、空と、前記検査対象の製品仕様とからなる２択の選択肢を表示することが好ましい。
【００１１】
また検査用システムにおいて、前記製品仕様記憶部は、前記検査対象の製品仕様をモデル別、且つ、検査項目別に記憶しており、前記ダミー記憶部は、前記ダミーをモデル別、且つ、検査項目別に記憶しているが一部のモデルの検査項目が前記ダミーを記憶していない場合があり、前記ダミー抽出部は、検査対象と同一モデル、且つ、同一検査項目について、前記ダミー記憶部に前記検査対象の製品仕様とは異なるダミーが１つ以上記憶されている場合には、同一モデル、且つ、同一検査項目を対象に１つのダミーを抽出し、検査対象と同一モデル、且つ、同一検査項目について、前記ダミー記憶部に前記検査対象の製品仕様とは異なるダミーが記憶されていない場合には、別のモデル、且つ、同一検査項目を対象に１つのダミーを抽出することが好ましい。
【００１２】
また検査用システムにおいて、前記ダミー抽出部は、前記ダミー記憶部に前記検査対象の製品仕様とは異なる２つ以上のダミーが記録されている場合に不規則に１つのダミーを抽出することが好ましい。
【００１３】
また検査用システムにおいて、前記製品仕様記憶部は、複数の検査対象の製品仕様を記憶しており、前記ダミー記憶部は、前記製品仕様記憶部に記憶された複数の検査対象の製品仕様を前記ダミーとして蓄積することが好ましい。
【００１４】
また検査用システムは、さらに、製品自体が前記検査対象の製品仕様と一致していない理由に関する情報を外部から受付けて記録する理由記録部を備えることが好ましい。
【００１５】
また検査用システムは、さらに、前記表示部により表示された前記２択の選択肢のうちの１つの選択を外部から受付ける受付部と、前記検査対象の製品仕様が選択されたか否かの判定を行う判定部と、前記判定部による判定の結果を提示する出力部とを備え、少なくとも、前記表示部、前記受付部及び前記出力部がモバイル側に存在し、該モバイル側に存在しないその他の構成がサーバ側に存在することが好ましい。
【００１６】
本発明に係る検査方法は、検査対象の製品仕様を記憶している製品仕様記憶部と製品仕様のダミーを記憶しているダミー記憶部とを備える検査用システムを用いて行う検査方法であって、前記ダミー記憶部に記憶されているダミーから前記検査対象の製品仕様とは異なる１つのダミーを抽出するダミー抽出ステップと、前記ダミー抽出ステップにより抽出された１つのダミーと前記検査対象の製品仕様とからなる２択の選択肢を表示する表示ステップとを含むことを特徴とする。
【発明の効果】
【００１７】
本発明に係る検査用システムは、記録されているダミーの中から１つを抽出するので前回と異なる選択肢が作成される可能性があるため、毎回同一の選択肢を用いる場合と比べて作業者の注意力の低下を抑制でき、検査ミスが起こりにくくなる。さらに、検査対象の製品仕様と１つのダミーからなる２択の選択肢を表示することができる。これにより、３択以上の多数の選択肢を表示する場合と較べて、選択作業が単純になるため、検査時間を短縮することができ、且つ検査ミスが起こりにくくなる。
【００１８】
また検査用システムにおいて、不規則に１つのダミーを抽出する場合、及びダミーの表示位置と検査対象の製品仕様の表示位置とを不規則に入れ替える場合には、前回と異なる選択肢が作成される可能性が高くなる。
【００１９】
また検査用システムにおいて、モバイルにて選択肢を表示し、検査者の選択を受付け、判定の結果を出力する場合には、検査者は該モバイルを持ったまま、製品の周りを自由に移動しながら検査を行うことができるようになるため、作業効率が向上し検査時間を短縮することができる。
【図面の簡単な説明】
【００２０】
【図１】実施形態１に係る検査用システムの構成図である。
【図２】モバイルとして機能するスマートホンの液晶タッチパネルの表示例を示す概略図である。
【図３】本発明の実施形態１における検査の手順を示す流れ図である。
【図４】図３に示したダミー抽出ステップの詳細な手順を示す流れ図である。
【図５】実施形態２に係る検査用システムの構成図である。
【図６】図３に示したダミー抽出ステップの詳細な手順を示す流れ図である。
【発明を実施するための形態】
【００２１】
実施形態１に係る検査用システムは、検査作業に用いる検査用システムであって、検査対象の製品仕様を記憶している製品仕様記憶部と、製品仕様のダミーを記憶しているダミー記憶部と前記ダミー記憶部に記憶されているダミーから前記検査対象の製品仕様とは異なる１つのダミーを抽出するダミー抽出部と、前記ダミー抽出部により抽出された１つのダミーと前記検査対象の製品仕様とからなる２択の選択肢を表示する表示部とを備えることを特徴とする。
【００２２】
これにより、３択以上の多数の選択肢を表示する場合と較べて、選択作業が単純になるため、検査時間を短縮することができ、且つ検査ミスが起こりにくくなる。さらに、記録されているダミーの中から１つを抽出するので前回と異なる選択肢が作成される可能性があるため、毎回同一の選択肢を用いる場合と比べて作業者の注意力の低下を抑制でき、検査ミスが起こりにくくなる。
【００２３】
（実施形態１）
＜構成＞
図１は、実施形態１に係る検査用システムの構成図である。図１に示すように、検査用システム１は、ホストコンピュータ１０、サーバコンピュータ２０及びモバイル３０を備え、主に自動車や電化製品などの製造工場における検査作業に用いることができる。
【００２４】
ホストコンピュータ１０は、工場内或いは社内を総括するメインコンピュータであり、生産計画データベース１１を有する。
生産計画データベース１１は、管理番号、モデル名、生産予定時間などの生産計画に関する情報が記録されたハードディスクなどの記憶媒体であり、工場内の各工程や、社内の営業部門などからアクセス可能になっている。生産計画データベース１１には、個々の検査対象につき、モデル名と、１つ以上の検査項目と、検査項目別の製品仕様が記録されている。例えば、ホストコンピュータ１０によって、１日分の生産計画に係る全ての製品に関する各種情報が予め集約され、これらに基づいて検査項目別の製品仕様が生成され生産計画データベース１１に記憶される。さらにホストコンピュータ１０は、検査項目別の製品仕様が記載された生産指示書を、生産予定の１台１台に対して発行する。
【００２５】
サーバコンピュータ２０は、ＷｉＦｉ（ワイファイ）などの無線通信機能を有し、複数のモバイル３０と無線通信することができる生産管理用のメインコンピュータであり、製品仕様記憶部２１、ダミー記憶部２２、ダミー抽出部２３及び理由記録部２４を備える。
【００２６】
製品仕様記憶部２１は、検査対象の製品仕様を記憶しているハードディスクなどの記憶媒体である。製品仕様記憶部２１には、検査対象の製品仕様が検査項目別に記憶されていることが好ましい。例えば、製品仕様記憶部２１は、管理番号１０１の検査対象に関し、検査項目「ボディカラー」の製品仕様「ブラック」を記憶し、検査項目「ホイール」の製品仕様「アルミ１５インチ」を記憶している。なお、製品仕様記憶部２１は、複数の検査対象の製品仕様を記憶していることが好ましい。また、製品仕様記憶部２１は、検査対象の生産車両が組立ラインに入った時などの任意のタイミングで、ホストコンピュータ１０から、該検査対象１台分の製品仕様を受信することが好ましい。
【００２７】
ダミー記憶部２２は、製品仕様のダミーを記憶しているハードディスクなどの記憶媒体である。なお、ダミー記憶部２２には、製品仕様のダミーが検査項目別に記憶されていることが好ましいが、一部又は全部の検査項目のダミーを記憶していない場合があってもよい。例えば、ダミー記憶部２２は、検査項目「ボディカラー」のダミー「ブラック」、「グレー」、「ホワイト」、「ブルー」を記憶し、検査項目「ホイール」のダミー「スチール１４インチ」、「アルミ１４インチ」、「アルミ１５インチ」、「アルミ１６インチ」を記憶している。なお、ダミー記憶部２２は、製品仕様記憶部２１に記憶された複数の検査対象の製品仕様を、ダミーとして蓄積することが好ましい。
【００２８】
ダミー抽出部２３は、ダミー記憶部２２に記憶されているダミーから、検査対象の製品仕様とは異なる１つのダミーを抽出する。なお、ダミー記憶部２２が一部又は全部の検査項目のダミーを記憶していない場合には、ダミー抽出部２３は、ダミー記憶部２２に検査対象の製品仕様とは異なるダミーが１つ以上記憶されているか否かを判断し、肯定的な判断結果である場合にのみ、当該検査項目のダミーを抽出することが好ましい。またダミー抽出部２３は、ダミー記憶部２２に、検査対象の製品仕様とは異なる２つ以上のダミーが記録されている場合に、前回と異なる選択肢が作成されやすくなるように、不規則（ランダム）に１つのダミーを抽出することが好ましい。
【００２９】
例えば、ダミー抽出部２３は、管理番号１０１の検査対象に関し、検査項目「ボディカラー」のダミーのうち、製品仕様「ブラック」とは異なる２つ以上のダミーが記録されている場合に、検査対象の製品仕様「ブラック」とは異なるダミー「グレー」、「ホワイト」、「ブルー」の中から不規則に１つを抽出する。また例えば、ダミー抽出部２３は、検査項目「ホイール」のダミーのうち、製品仕様「アルミ１５インチ」とは異なるダミー「スチール１４インチ」、「アルミ１４インチ」、「アルミ１６インチ」の中から不規則に１つを抽出する。
【００３０】
理由記録部２４は、製品自体が検査対象の製品仕様と一致していない理由に関する情報等をモバイル３０から受信して記録する。例えば、検査項目「ボディカラー」では、製品のボディをカラー撮影した画像のデータを受信して記録し、検査項目「ホイール」では、製品のホイールをカラー撮影した画像のデータを受信して記録する。あるいは、例えば、検査項目「ボディカラー」の製品仕様が「ブラック」である際に、製品自体が「グレー」であった場合には、“仕様「ブラック」／製品「グレー」”を受信して記録する。また例えば、検査項目「ホイール」の製品仕様が「アルミ１５インチ」である際に、製品自体が「スチール１４インチ」であった場合には、“仕様「アルミ１５インチ」／製品「スチール１４インチ」”を受信して記録する。
【００３１】
モバイル３０は、小型軽量で持ち運び容易な無線通信機能を備える携帯端末である。モバイル３０は、液晶タッチパネルや有機ＥＬタッチパネルなどのような、入力インターフェース付きの薄型表示デバイスを備えることが好ましい。例えばスマートホンなどの汎用機器に、検査用システム１用のアプリケーションソフトをインストールすることにより、モバイル３０として機能させることができる。モバイル３０に汎用機器を採用することにより、比較的安価に、短い納期で、且つ大量にモバイル３０を調達することが可能となる。
【００３２】
モバイル３０は、表示部３１、受付部３２、判定部３３、及び出力部３４を備える。表示部３１は、無線通信機能を用いて、ダミー抽出部２３により抽出された１つのダミーと、製品仕様記憶部２１に記憶されている検査対象の製品仕様とを受信して、これらからなる２択の選択肢を画面上に表示する。例えば、表示部３１は、管理番号１０１の検査対象に関し、検査項目「ボディカラー」のダミーのうちの「グレー」、「ホワイト」、「ブルー」の中の１つと、製品仕様「ブラック」とからなる２択の選択肢を液晶タッチパネル上に表示する。また例えば、検査項目「ホイール」のダミーのうちの「スチール１４インチ」、「アルミ１４インチ」、「アルミ１６インチ」の中の１つと、製品仕様「アルミ１５インチ」とからなる２択の選択肢を液晶タッチパネル上に表示する。
【００３３】
なお、表示部３１は、ダミー抽出部２３によりダミーが抽出された検査項目に関してのみ、当該ダミーと、検査対象の製品仕様とからなる２択の選択肢を表示することが好ましい。また、表示部３１は、ダミー抽出部２３によりダミーが抽出されなかった検査項目に関し、「空」と、検査対象の製品仕様とからなる２択の選択肢を表示することが好ましい。片方が「空」であると、作業者は必然的に検査対象の製品仕様の方を選択するので、一見、チェック機能が働いていないように見えるが、作業者が検査対象の製品仕様を少なくとも選択する作業を経ることによって、所定の製品仕様を確認する意識が向けられるので好ましい。なお、本発明において「空」とは、空欄、空白、或いは、所定のマークや記号などが表示される状態であって、特定の製品仕様情報が画面に表示されていない状態をいうものとする。また、表示部３１は、前回と異なる選択肢が作成されやすくなるように、ダミーの表示位置と、検査対象の製品仕様の表示位置とを不規則に入れ替えることが好ましい。
【００３４】
また表示部３１は、検査項目が２つ以上ある場合には、２つ以上の検査項目の各々２択の選択肢を同一画面上に表示し、表示された全ての検査項目の検査終了後に、表示を切り替えて新たな２つ以上の検査項目の各々２択の選択肢を画面上に表示することが好ましい。
【００３５】
図２は、モバイル３０として機能するスマートホンの液晶タッチパネルの表示例を示す概略図である。図２においては、同一画面上に５つの検査項目ａ〜ｅが表示され、検査項目ごとに、２択の選択肢ａ１、ａ２、ｂ１、ｂ２、ｃ１、ｃ２、ｄ１、ｄ２、ｅ１、ｅ２のアイコンと、理由受付ボタンＡ〜Ｅのアイコンが表示され、さらに、前ページ移動ボタンＸのアイコン、及び次ページ移動ボタンＹのアイコンが表示される。
【００３６】
受付部３２は、表示部３１により表示された２択の選択肢のうちの１つの選択を外部から受付ける。例えば、作業者が携帯するモバイル３０の液晶タッチパネル上に「ブラック」と「ブルー」の２択の選択肢のアイコンが表示され、作業者がどちらかのアイコンをタッチすることで、受付部３２が作業者による選択を受付ける。
【００３７】
実際の検査作業では、検査対象の製品には生産指示書が添付されており、作業者は生産指示書の記載を基に製品仕様を認識し、表示部３１により表示された２択の選択肢から、該製品仕様に合致する方を選択するとともに、該製品仕様に製品自体の仕様が合致しているか否かを検査する。例えば、生産指示書の検査項目「ボディカラー」の欄に「ブラック」と記載されている場合に、液晶タッチパネル上に表示された「ブラック」と「ブルー」の２択の選択肢のアイコンのうちの「ブラック」のアイコンを作業者がタッチすると、受付部３２が「ブラック」の選択を受付ける。一方作業者は、生産指示書に記載された製品仕様に、実際の製品自体の仕様が合致していない場合には、検査対象の製品を廃棄処分とするか、あるいは修正が可能なものは修正箇所を製作した工程や、修正用に別途設けた工程へと移送する。
【００３８】
作業者が、理由受付ボタンＡ〜Ｅのアイコンのいずれかをタッチすると理由受付モードとなり、「製品自体が検査対象の製品仕様と一致していない理由」に関する情報等を外部から受付けて理由記録部２４へ転送する。詳細には、理由受付モードになると、内蔵カメラが起動し、受付部３２が検査項目別に、実物の画像撮影や文字入力を受付ける。例えば、検査項目「ボディカラー」では、作業者が製品のボディをカラー撮影し、検査項目「ホイール」では、作業者が製品のホイールをカラー撮影し、撮影した画像のデータを理由記録部２４へ転送する。
【００３９】
あるいは、検査項目「ボディカラー」の製品仕様が「ブラック」である際に、製品自体が「グレー」であった場合には、「グレー」の入力を作業者から受付けて、“仕様「ブラック」／製品「グレー」”を理由記録部２４へ転送する。また、検査項目「ホイール」の製品仕様が「アルミ１５インチ」である際に、製品自体が「スチール１４インチ」であった場合には、「スチール１４インチ」の入力を作業者から受付けて、“仕様「アルミ１５インチ」／製品「スチール１４インチ」”を理由記録部２４へ転送する。
【００４０】
判定部３３は、検査対象の製品仕様が選択されたか否かの判定を行う。なお、判定部３３は、検査項目が２つ以上ある場合には、作業者から選択を受付ける度に判定を行ってもよいし、所定数あるいは全ての検査項目に対する選択を受付けた後にまとめて判定を行ってもよい。
【００４１】
出力部３４は、判定部３３による判定の結果を出力する。例えば、検査項目が２つ以上ある場合に、判定部３３が、全ての検査項目について検査対象の製品仕様が選択されたと判定すると、出力部３４は、液晶タッチパネル上に“合格”と表示する。また例えば、ダミーが選択されたり、受付部３２が作業者から何らかの情報を受付けるなど、判定部３３が、検査対象の製品仕様が選択されなかったと判定する検査項目が１つでもあると、出力部３４は、液晶タッチパネル上に“不合格”と表示する。
【００４２】
また、２つ以上の検査項目の選択肢が同一画面上に表示される場合に、判定部３３は、同一画面上に表示された検査項目のうち、製品仕様が選択されていないと判定する検査項目が１つでもあれば、新たな検査項目を画面上に表示することを禁止することが好ましい。
【００４３】
なお、判定部３３は、必ずしもモバイル３０のような携帯機器（以下「モバイル側」と記す）に存在させる必要はなく、サーバコンピュータ２０やホストコンピュータ１０のような固定端末（以下「サーバ側」と記す）に存在させてもよい。また、生産計画データベース１１及び理由記録部２４以外の構成はモバイル側に存在させてもよい。また、少なくとも表示部３１、受付部３２及び出力部３４がモバイル側に存在し、該モバイル側に存在しないその他の構成がサーバ側に存在することが好ましい。
【００４４】
＜動作＞
図３は、本発明の実施形態１における検査の手順を示す流れ図である。以下に、検査用システム１における検査の手順について説明する。
【００４５】
（１）ホストコンピュータ１０において、生産計画データベース１１に記録された生産計画に関する情報に基づいて、１日に生産する予定の製品について、製品ごとの検査項目と、検査項目別の製品仕様が生成される（ステップＳ１）。
【００４６】
（２）製品の製造が開始され、組立工程に製品の本体が投入された時点で、ホストコンピュータ１０からサーバコンピュータ２０へ、検査項目名の一覧と検査対象１台分の製品仕様とが送られ、製品仕様記憶部２１に記憶される（ステップＳ２）。なお、検査項目の種類が統一され、検査項目名の一覧がモデル等によって異なることがない場合には、検査項目名のリストを送る必要がない。
【００４７】
（３）サーバコンピュータ２０のダミー抽出部２３が、ダミー記憶部２２から、検査対象の製品仕様とは異なる１つのダミーを抽出するダミー抽出ステップを行う（ステップＳ３）。ここでダミー抽出部２３は、検査項目別に検査対象の製品仕様とは異なるダミーが１つ以上記憶されているか否かを判断し、肯定的な判断結果である場合にのみ、当該検査項目のダミーを抽出する。
【００４８】
（４）モバイル３０の表示部３１が、ダミー抽出ステップにより抽出された１つのダミーと、製品仕様記憶部２１に記憶されている検査対象の製品仕様とからなる２択の選択肢を表示する表示ステップを行う（ステップＳ４）。ここで表示部３１は、図２に示すように、同一画面上に、最大５つの検査項目の各々２択の選択肢ａ１、ａ２、ｂ１、ｂ２、ｃ１、ｃ２、ｄ１、ｄ２、ｅ１、ｅ２のアイコンと理由受付ボタンＡ〜Ｅのアイコンを表示し、さらに前ページ移動ボタンＸのアイコン、及び次ページ移動ボタンＹのアイコンを表示するものとする。
【００４９】
また表示部３１は、ダミー抽出部２３によりダミーが抽出されなかった検査項目に関し、空欄と、検査対象の製品仕様とからなる２択の選択肢を表示する。なおモバイル３０は、検査開始前に、検査対象の製品に添付された生産指示書上に記載された二次元パーコード等を読み取って管理番号を得、生産指示書と２択の選択肢との対応が正しいことを確認することが好ましい。
【００５０】
（５）判定部３３が、２択の選択肢のうちの１つの選択を受付けたか否かを判定する（ステップＳ５）。
（６）２択の選択肢のうちの１つの選択を受付けた場合に（ステップＳ５：Ｙｅｓ）、表示部３１が、受付けた選択肢のアイコンの表示色を変える（ステップＳ６）。
【００５１】
（７）判定部３３が、理由受付ボタンＡ〜Ｅのアイコンがタッチされたか否かを判定する（ステップＳ７）。
（８）理由受付ボタンＡ〜Ｅのアイコンがタッチされた場合には（ステップＳ７：Ｙｅｓ）、理由受付モードとなり、「製品自体が検査対象の製品仕様と一致していない理由」に関する理由情報等を外部から受付けて理由記録部２４へ転送する（ステップＳ８）。
【００５２】
（９）前ページ移動ボタンＸのアイコンがタッチされたか否かを判定する（ステップＳ９）。
（１０）前ページ移動ボタンＸのアイコンがタッチされた場合には（ステップＳ９：Ｙｅｓ）、１つ前の検査項目が表示されるように設定を変更して、ステップＳ４の表示ステップへ戻る（ステップＳ１０）。１つ前の検査項目がない場合には、表示をそのままにするか、あるいは初期画面を表示する。
【００５３】
（１１）次ページ移動ボタンＹのアイコンがタッチされたか否かを判定する（ステップＳ１１）。
（１２）次ページ移動ボタンＹのアイコンがタッチされた場合には（ステップＳ１１：Ｙｅｓ）、判定部３３が、同一画面上に表示された検査項目の全てについて、検査対象の製品仕様が選択されたか否かを判定する判定ステップを行う（ステップＳ１２）。
【００５４】
（１３）同一画面上に表示された検査項目について、検査対象の製品仕様が選択されずダミーが選択された検査項目が１つでもある場合には（ステップＳ１２：Ｎｏ）、新たな検査項目を画面上に表示することを禁止し、表示部３１が、ダミーが選択された選択肢のアイコンの表示を反転させたり点滅させたりして目立たせ、アラート音を出す（ステップＳ１３）。
（１４）同一画面上に表示された検査項目の全てについて、検査対象の製品仕様が選択された場合には（ステップＳ１２：Ｙｅｓ）、未チェックの製品仕様が在るか否かを判定する（ステップＳ１４）。
【００５５】
（１５）未チェックの製品仕様が在る場合には（ステップＳ１４：Ｙｅｓ）、未チェックの新たな検査項目が表示されるように設定を変更して、ステップＳ４の表示ステップに戻る（ステップＳ１５）。
（１６）未チェックの製品仕様が無い場合には（ステップＳ１４：Ｎｏ）、判定部３３が、全ての検査項目について、理由情報等が受付けられたか否かを判定する（ステップＳ１６）。
【００５６】
（１７）理由情報等が受付けられている場合には（ステップＳ１６：Ｙｅｓ）、出力部３４が液晶タッチパネル上に“不合格”と表示した後、次の製品を検査するためにステップＳ２に戻る（ステップＳ１７）。
（１８）理由情報等が受付けられていない場合には（ステップＳ１６：Ｎｏ）、出力部３４が液晶タッチパネル上に“合格”と表示した後、次の製品を検査するためにステップＳ２に戻る（ステップＳ１８）。
【００５７】
図４は、図３に示したダミー抽出ステップ（ステップＳ３）の詳細な手順を示す流れ図である。以下に、ダミー抽出ステップの詳細な手順について説明する。
（１）検査対象の製品仕様のうち、未処理の製品仕様があるか否かを判断する（ステップＳ２１）。未処理の製品仕様が無い場合には（ステップＳ２１：Ｎｏ）、ダミー抽出ステップの処理を終了する。
【００５８】
（２）未処理の製品仕様がある場合は（ステップＳ２１：Ｙｅｓ）、１つの製品仕様を処理対象に選ぶ（ステップＳ２２）。
（３）ダミー記憶部２２に、処理対象の製品仕様に対応するダミーがあるか否かを判定する（ステップＳ２３）。ダミーが無いときは（ステップＳ２３：Ｎｏ）、次の製品仕様を処理するために、ステップＳ２１に戻る。
【００５９】
（４）ダミーがあるときは（ステップＳ２３：Ｙｅｓ）、ダミー記憶部２２から、処理対象の製品仕様に対応するダミーを全て読み出す（ステップＳ２４）。
（５）読み出したダミーから、製品仕様記憶部２１に記憶された検査対象の製品仕様と同様の項目を消去する（ステップＳ２５）。
【００６０】
（６）消去後に残ったダミーがあるか否かを判定する（ステップＳ２６）。残ったダミーが無いときは（ステップＳ２６：Ｎｏ）、次の製品仕様を処理するために、ステップＳ２１へ戻る。
（７）消去後に残ったダミーがあるときには（ステップＳ２６：Ｙｅｓ）、不規則に１つのダミーを抽出し（ステップＳ２７）、次の製品仕様を処理するために、ステップＳ２１に戻る。
【００６１】
（実施形態２）
＜構成＞
図５は、実施形態２に係る検査用システムの構成図である。図５に示すように検査用システム２は、ホストコンピュータ１０、サーバコンピュータ４０及びモバイル３０を備えている。なお、実施形態１の検査用システム１の構成と同様の構成には同一番号を付し、その説明を省略する。
【００６２】
サーバコンピュータ４０は、実施形態１のサーバコンピュータ２０と同様に、Ｗｉ−Ｆｉ（ワイファイ）などの無線通信機能を有し、複数のモバイル３０と無線通信することができる生産管理用のメインコンピュータであり、製品仕様記憶部４１、ダミー記憶部４２、ダミー抽出部４３及び理由記録部２４を備える。
【００６３】
製品仕様記憶部４１は、実施形態１の製品仕様記憶部２１と同様の記憶媒体であり、検査対象の製品仕様を、モデル別、且つ、検査項目別に記憶している。
ダミー記憶部４２は、実施形態１のダミー記憶部２２と同様の記憶媒体であり、ダミーを、モデル別、且つ、検査項目別に記憶しているが、一部又は全部のモデルの検査項目がダミーを記憶していない場合がある。
【００６４】
ダミー抽出部４３は、検査対象と同一モデル、且つ、同一検査項目について、ダミー記憶部４２に検査対象の製品仕様とは異なるダミーが１つ以上記憶されている場合には、同一モデル、且つ、同一検査項目を対象に１つのダミーを抽出する。
【００６５】
ダミー抽出部４３は、検査対象と同一モデル、且つ、同一検査項目について、ダミー記憶部４２に検査対象の製品仕様とは異なるダミーが記憶されていない場合には、別のモデル、且つ、同一検査項目を対象に１つのダミーを抽出する。
【００６６】
＜動作＞
検査用システム２における検査の手順は、図３に示した実施形態１の検査用システム１における検査の手順と同様である。
図６は、図３に示したダミー抽出ステップ（ステップＳ３）の詳細な手順を示す流れ図である。以下に、ダミー抽出ステップの詳細な手順について説明する。なお図４に示した実施形態１のダミー抽出ステップの詳細な手順と同様のステップには同一の番号を記し、その説明を省略する。
【００６７】
（１）図４の（１）と同様（ステップＳ２１）。
（２）図４の（２）と同様（ステップＳ２２）。
（３）ダミー記憶部４２に、処理対象と同一モデル、且つ、同一検査項目について、製品仕様に対応するダミーがあるか否かを判定する（ステップＳ３３）。ダミーが無いときは（ステップＳ３３：Ｎｏ）、別のモデルについてダミーを検索するために、ステップＳ３７に飛ぶ。
【００６８】
（４）ダミーがあるときは（ステップＳ３３：Ｙｅｓ）、ダミー記憶部４２から、処理対象と同一モデル、且つ、同一検査項目について、処理対象の製品仕様に対応するダミーを全て読み出す（ステップＳ３４）。
（５）ステップＳ３４において読み出したダミーから、製品仕様記憶部４１に記憶された検査対象の製品仕様と同様の項目を消去する（ステップＳ３５）。
【００６９】
（６）消去後に残ったダミーがあるか否かを判定する（ステップＳ３６）。残ったダミーが無いときは（ステップＳ３６：Ｎｏ）、別のモデルについてダミーを検索するために、ステップＳ３７に行く。
（７）ダミーが無いときは（ステップＳ３３：Ｎｏ、及び、ステップＳ３６：Ｎｏ）、ダミー記憶部４２に、処理対象と別のモデル、且つ、同一検査項目について、製品仕様に対応するダミーがあるか否かを判定する（ステップＳ３７）。さらにダミーが無いときは（ステップＳ３７：Ｎｏ）、次の製品仕様を処理するために、ステップＳ２１に戻る。
【００７０】
（８）ダミーがあるときは（ステップＳ３７：Ｙｅｓ）、ダミー記憶部４２から、処理対象と別のモデル、且つ、同一検査項目について、処理対象の製品仕様に対応するダミーを全て読み出す（ステップＳ３８）。
（９）ステップＳ３８において読み出したダミーから、製品仕様記憶部４１に記憶された検査対象の製品仕様と同様の項目を消去する（ステップＳ３９）。
【００７１】
（１０）消去後に残ったダミーがあるか否かを判定する（ステップＳ４０）。残ったダミーが無いときは（ステップＳ４０：Ｎｏ）、次の製品仕様を処理するために、ステップＳ２１に戻る。
（１１）消去後に残ったダミーがあるときには（ステップＳ３６：Ｙｅｓ、及び、ステップＳ４０：Ｙｅｓ）、不規則に１つのダミーを抽出し（ステップＳ４１）、次の製品仕様を処理するために、ステップＳ２１に戻る。
【００７２】
なお、特に矛盾が生じない限り、各実施形態は適宜組み合わせることができる。
【符号の説明】
【００７３】
１、２  検査用システム
１０    ホストコンピュータ
１１    生産計画データベース
２０    サーバコンピュータ
２１    製品仕様記憶部
２２    ダミー記憶部
２３    ダミー抽出部
２４    理由記録部
３０    モバイル
３１    表示部
３２    受付部
３３    判定部
３４    出力部
４０    サーバコンピュータ
４１    製品仕様記憶部
４２    ダミー記憶部
４３    ダミー抽出部
【図１】
2015219824.tif 000003
【図２】
2015219824.tif 000004
【図３】
2015219824.tif 000005
【図４】
2015219824.tif 000006
【図５】
2015219824.tif 000007
【図６】
2015219824.tif 000008